(57)【要約】      （修正有）【課題】埃や水などの異物がダイヤルの回転軸付近まで浸入するのを防止できるダイヤル式錠を提供する。【解決手段】箱体１０とダイヤルリング３とを備え、ダイヤルリング３の外周面に表示されたダイヤル数字の一部が箱体１０の表面部の開口５１から露出され、複数のダイヤル数字を予め記憶された組合せに合わせたときに解錠されるダイヤル式錠において、表面部の内側に配置されるカバー部材を備え、該カバー部材は、ダイヤルリング３と箱体１０の開口縁部との隙間を覆う遮蔽板部を有しており、さらにダイヤルリング３の側面に、環状の凹溝５２が形成されており、遮蔽板部の端縁部は凹溝５２に入り込むように構成されたことを特徴とする。【選択図】図３
0003165641.tif 000002
【実用新案登録請求の範囲】
【請求項１】
箱体と、前記箱体内に回転可能に設けられた複数個のダイヤルリングとを備え、前記ダイヤルリングの外周面に表示されたダイヤル数字の一部が前記箱体の表面部の開口から露出され、複数の前記ダイヤル数字を予め記憶された組合せに合わせたときに解錠されるダイヤル式錠において、
前記表面部の内側に配置されるカバー部材を備え、
前記カバー部材は、前記ダイヤルリングと前記箱体の開口縁部との隙間を覆う遮蔽板部を有する
ことを特徴とするダイヤル式錠。
【請求項２】
前記ダイヤルリングの側面に、環状の凹溝が形成されており、
前記遮蔽板部の端縁部は、前記凹溝に入り込むように構成された
ことを特徴とする請求項１に記載のダイヤル式錠。
【請求項３】
前記遮蔽板部の前記端縁部には、前記ダイヤルリングの外周面側に立ち上がる立上り部が形成されている
ことを特徴とする請求項１または請求項２に記載のダイヤル式錠。
【請求項４】
前記カバー部材は、弾性部材にて構成されており、
隣り合う前記ダイヤルリングの間に位置する前記遮蔽板部には、スリットが形成されている
ことを特徴とする請求項１乃至請求項３のいずれか１項に記載のダイヤル式錠。
【考案の詳細な説明】
【技術分野】
【０００１】
本考案は、ダイヤル式錠に関する。
【背景技術】
【０００２】
従来、複数のダイヤル数字を予め記憶されたダイヤル数字の組合せに合わせた状態で、ノブが回動して連動する鉤が解錠する施錠機構を備えるダイヤル式錠において、解錠するダイヤル数字の組合せを自由に設定可能な自由設定ダイヤル機能を有する錠と、また、解錠するダイヤル数字の組合せが固定されている固定ダイヤル機能を有するそれぞれの錠とが知られていた。そして、本考案者は、これら自由設定ダイヤル機能と固定ダイヤル機能とを、切換手段の切換操作によって使い分けできるようにしたダイヤル式錠（特許文献１参照）を発明した。
【先行技術文献】
【特許文献】
【０００３】
【特許文献１】特許第３３５８０８２号公報
【考案の概要】
【考案が解決しようとする課題】
【０００４】
しかしながら、前記特許文献１のダイヤル式錠および他の一般的なダイヤル式錠では、ダイヤルを回転させるために、ケースの開口からダイヤルの一部が露出している。そのため、開口周縁部とダイヤルの隙間からダイヤル式錠の内部に埃や水などの異物が浸入してしまう場合があった。このとき異物が内部奥のダイヤルの回転支持軸付近にまで浸入すると、ダイヤルが回転し難くなり操作性の悪化の原因となってしまう問題があった。
【０００５】
このような観点から、本考案は、異物がダイヤルの回転支持軸付近まで浸入するのを防止できるダイヤル式錠を提供することを課題とする。
【課題を解決するための手段】
【０００６】
このような課題を解決するために創案された本考案は、箱体と、前記箱体内に回転可能に設けられた複数個のダイヤルリングとを備え、前記ダイヤルリングの外周面に表示されたダイヤル数字の一部が前記箱体の表面部の開口から露出され、複数の前記ダイヤル数字を予め記憶された組合せに合わせたときに解錠されるダイヤル式錠において、前記表面部の内側に配置されるカバー部材を備え、前記カバー部材は、前記ダイヤルリングと前記箱体の開口縁部との隙間を覆う遮蔽板部を有することを特徴とするダイヤル式錠である。
【０００７】
このような構成のダイヤル式錠によれば、ダイヤルリングと箱体の開口縁部との隙間から埃や水などの異物が浸入しても、カバー部材によって遮蔽されるので、異物が内部の回転支持軸付近に浸入し難くなる。これによって、操作性の悪化を防止することができる。
【０００８】
また、本考案は、前記ダイヤルリングの側面に、環状の凹溝が形成されており、前記遮蔽板部の端縁部は、前記凹溝に入り込むように構成されたことを特徴とする。
【０００９】
このような構成のダイヤル式錠によれば、遮蔽板部とダイヤルリングの側面との隙間が凹溝の底面側に位置することとなるので、より一層、異物が内部の回転支持軸付近に浸入し難くなる。
【００１０】
さらに、本考案は、前記遮蔽板部の前記端縁部には、前記ダイヤルリングの外周面側に立ち上がる立上り部が形成されていることを特徴とする。
【００１１】
このような構成のダイヤル式錠によれば、立上り部によって、異物が堰き止められるので、凹溝の底部側に入り込みにくくなり、より一層、異物が回転支持軸付近に浸入し難くなる。
【００１２】
また、本考案は、前記カバー部材は、弾性部材にて構成されており、隣り合う前記ダイヤルリングの間に位置する前記遮蔽板部には、スリットが形成されていることを特徴とする。
【００１３】
このような構成のダイヤル式錠によれば、スリットを狭くするように遮蔽板部を押し縮めることで、遮蔽板部の幅を小さくできるので、隣り合うダイヤルリング間に遮蔽板部を装着する作業を容易に行うことができる。また、装着後は、遮蔽板部は元の形状に戻るので、端縁部が凹溝に入り込む。
【考案の効果】
【００１４】
本考案のダイヤル式錠によれば、埃や水などの異物がダイヤルの回転支持軸付近まで浸入するのを防止できるといった優れた効果を発揮する。
【図面の簡単な説明】
【００１５】
【図１】本考案の実施形態に係るダイヤル式錠のカバー部材を示した図であって、（ａ）は正面図、（ｂ）は（ａ）のＡ−Ａ線断面図、（ｃ）は（ａ）のＢ−Ｂ線断面図である。
【図２】カバー部材を示した斜視図および部分拡大図である。
【図３】カバー部材の装着状態を示した部分拡大断面図である。
【図４】本考案の実施形態に係るダイヤル式錠の全体構成を示す分解斜視図である。
【図５】支持軸とドラムとダイヤルリングの分解斜視図である。
【図６】支持軸とドラムとダイヤルリングを組立てた詳細な説明図である。
【図７】ダイヤルリングのダイヤル数字の自由設定の説明図である。
【図８】解錠・閉錠の説明図である。
【図９】解錠・閉錠の説明図である。
【図１０】切換部材を自由設定ダイヤル錠側に切換えた説明図である。
【図１１】切換部材を固定ダイヤル錠側に切換えた説明図である。
【図１２】ダイヤル式錠の構成部材の一部を示す正面図である。
【図１３】ダイヤル式錠の構成部材の一部の作動説明図である。
【図１４】ダイヤル式錠の蓋部材を外した状態の正面図である。
【図１５】ダイヤル式錠を各面から見た図である。
【考案を実施するための形態】
【００１６】
本考案の実施形態に係るダイヤル式錠は、図４の分解斜視図に示すような各構成要素よりなる。以下、本実施形態に係るダイヤル式錠の構成を説明する。このダイヤル式錠は、内部奥まで異物が浸入するのを防止するために、カバー部材を箱体内に設けたことを特徴としている。本実施形態に係るダイヤル式錠は、ダイヤル数字の組合せが自由に設定されて記憶される自由設定ダイヤル状態と、ダイヤル数字の組合せが固定されて記憶されている固定ダイヤル状態とを、切換操作によって使い分けできるようになっている。まず、図４乃至図１３を参照してダイヤル式錠の全体構成を説明する。
【００１７】
図４に示すように、ダイヤル式錠は、箱体１０内に、支持軸１とドラム２とダイヤルリング３とカム６と押動レバー７とフォーク状レバー８とシーソーレバー１４と連結レバー１１と切換部材９とを備えて構成されている。
【００１８】
支持軸１は、箱体１０に対してコイルスプリング１ｃによる付勢力によって一方（図において左方向）に移動可能に支持された軸である。図５に示すように、ドラム２は、支持軸１に対し軸周りに回転可能で軸方向に摺動不可能に支持され、ダイヤルリング３から露出した周面の一箇所に記憶用の凹部２ａが形成されている。ドラム２は複数個（本実施形態では４個）設けられている。ダイヤルリング３は、各ドラム２の外周に回転可能に内周が嵌合され、各ドラム２が一方向（図において右方向）に摺動すると、その周面の軸方向一側に形成した係合突起２ｃが係合する係合凹部３ｂが内周部に形成されている。ダイヤルリング３の外周面には、ダイヤル数字（図示せず）が記載されている。ダイヤルリング３は、複数個（本実施形態では４個）設けられている。
【００１９】
図８に示すように、カム６は、ノブ４および鉤５と連動して回動する。カム６には、第１，第２のカム部６ａ，６ｂ、およびカム６が回動しないように係合される係合部６ｃが形成されている。押動レバー７は、箱体１０に対し回動可能に支持されている。押動レバー７は、第１のカム部６ａに当接押動される一端部７ａと、支持軸１をスプリング付勢力に抗して当接押動する他端部７ｂとを有する。フォーク状レバー８は、箱体１０に回動可能に支持されている。フォーク状レバー８は、各ドラム２の記憶用の凹部２ａに一斉に出没する各フォーク先端８ａと、カム６の係合部６ｃに係合し得る反対側端８ｃとを有している。シーソーレバー１４は、箱体１０に回動可能に支持されている。シーソーレバー１４は、カム６の第２のカム部６ｂに当接押動される一端部１４ａと、フォーク状レバー８の各フォーク先端８ａを各ドラム２の記憶用の凹部２ａに付勢力に抗して没入させフォーク先端８ａと反対側端８ｃをカム６の係合部６ｃから逃がすように押動する他端部１４ｂとを有している。シーソーレバー１４は、弾性材料よりなる。連結レバー１１は、押動レバー７の一端部７ａ側に一端部（連結孔１１ａ（図４参照））が回動可能に支持されている。連結レバー１１は、他端部に嵌合凹部１１ｂを有している。切換部材９は、嵌合凹部１１ｂに嵌合される偏心部９ａを有し、固定ダイヤル錠に切換えるときには偏心部９ａで連結レバー１１と押動レバー７と支持軸１とを押動し続け、自由設定ダイヤル錠に切換えるときには偏心部９ａで連結レバー１１を押動しないように構成されている。
【００２０】
さらに、各部の細部について説明すると、支持軸１は、図４および図５に示すように、その一端部１ａに形成したスプリング押部１ｂがコイルスプリング１ｃ（図４参照）によって他方（図において左方向）に押動付勢されている。また、図５に示すように、支持軸１の一端部１ａに形成した段部１ｄから他端部側に延在して円柱部１ｅが形成されている。この円柱部１ｅに４個のドラム２が回転可能に嵌合され、最後に嵌合されたドラム２が支持軸１の他端部１ｆから脱落しないように止輪１ｇで止められている。従って、前記４個のドラム２は支持軸１に対して軸周りに回転可能で、且つ軸方向に摺動不可能に支持されている。また、各ドラム２の大径部２1 のダイヤルリング３から露出した外周の一部（ダイヤルリング３から軸方向に露出した部分）に記憶用の凹部２ａが形成されており、各ドラム２の小径部２２の軸方向一側（大径部２1側）には、周方向に等間隔で複数の係合突起２ｃが形成されている（図５〜図７参照）。
【００２１】
前記のように、支持軸１に取付けられた各ドラム２の大径部２1 の外周に、ダイヤルリング３が、記憶用の凹部２ａを露出可能に、また、ドラム２の小径部２2を露出可能に挿入されている（図５〜図７参照）。ダイヤルリング３の外周３ａには、例えば０から９のダイヤル数字（０から９に限らず、奇数の１から９、または偶数の０から８でもかまわない。）が等間隔で記載されている。また、ダイヤルリング３の内周部には、複数の係合凹部３ｂが周方向に等間隔で形成されている。係合凹部３ｂには、ドラム２に形成された係合突起２ｃが係合する。係合突起２ｃは、ドラム２の小径部２２ の軸方向一側（大径部２1側）に周方向に等間隔で形成されている。従って、支持軸１と共に各ドラム２が各ダイヤルリング３の方へ、すなわち、図において右方向へ移動すると、ドラム２の係合突起２ｃがダイヤルリング３の係合凹部３ｂに係合して、ダイヤルリング３と一体にドラム２が回転するようになる。なお、ドラム２の係合突起２ｃがダイヤルリング３の係合凹部３ｂとの係合から外れると、ダイヤルリング３はドラム２と独立して別個に回転可能になる。
【００２２】
図６は支持軸とドラムとダイヤルリングを組み立てた詳細な説明図ある。図６（ａ）は支持軸１が、コイルスプリング１ｃによって、図において左方向に押動されて、支持軸１と共に各ドラム２が左方向に移動し、各ドラム２の外周の一部に形成した平坦部２ｄが回転止板柱１５（図４も参照）の上端に当接している。これによって、各ドラム２の回転が止められ、各ドラム２の係合突起２ｃが各ダイヤルリング３の係合凹部３ｂとの係合から離れて、各ダイヤルリング３が各ドラム２と独立して自由に回転することができる状態にある。図６（ｂ）は支持軸１が、コイルスプリング１ｃの押動付勢力に抗して、図において右方向に押動され、各ドラム２の外周の一部に形成した平坦部２ｄが回転止板柱１５の上端から離れて回転できる状態になり、各ドラム２の係合突起２ｃが各ダイヤルリング３の係合凹部３ｂに係合し、ダイヤルリング３と共にドラム２を回転させることができる状態にある。なお、図６（ａ）、（ｂ）に示すように、各ダイヤルリング３は、回転止板柱１５と横移動止板柱１６（図４も参照）とで挟まれているので、各ドラム２が左右に移動するときに、それにつられて各ダイヤルリング３が移動されることはない。図６（ｃ）は図６（ｂ）のｃ−ｃ線における断面図、図６（ｄ）は同ｄ−ｄ線における断面図、図６（ｅ）は同ｅ−ｅ線における断面図、図６（ｆ）は同ｆ−ｆ線における断面図である。
【００２３】
図７はダイヤル数字の自由設定の説明図であり、つまり、各ダイヤルリング３を回転させて所望のダイヤル数字の組合の設定を行う説明図である。図７の（ａ′）〜（ｃ′）に示す、白三角印は今までに設定しておいたダイヤル数字、黒三角印はこれから設定しようとするダイヤル数字を示す。
【００２４】
図７（ａ）は、鉤５（図４参照）が閉錠位置に回動されたときに、解錠ができる状態に各ダイヤルリング３のダイヤル数字を揃えた状態を示す図である。鉤５が閉錠位置に回動されているときには、図８および図１０に示すように、鉤５と共に回動したカム６の第１のカム部６ａで押動レバー７が押動され、この押動レバー７で支持軸１が押動され、各ドラム２が各ダイヤルリング３に係合して、ダイヤルリング３と共にドラム２を回転させて、鉤５を解錠に回動できるように各ダイヤルリング３のダイヤル数字の組合せを揃えることができる。このとき、ドラム２の記憶用の凹部２ａが一列に揃う。そうすると、図９の（ｂ）に示すように、鉤５を解錠位置に回動させると、カム６の第２のカム部６ｂがシーソーレバー１４を押動し、このシーソーレバー１４がフォーク状レバー８を押動して、そのフォーク先端８ａを前記一列に揃った各記憶用の凹部２ａに没入させて、フォーク先端８ａの反対側端８ｃをカム６の係合部６ｃに係合しないように逃がし、鉤５が解錠し得るようにカム６を回動させることができる。
【００２５】
図７（ｂ）は、鉤５（図４参照）を解錠位置に回動させた状態を示す図である。鉤５を解錠位置に回動させたときには、図８（ａ）に示すように、押動レバー７による支持軸１の押動が解除され、各ドラム２と各ダイヤルリング３との係合が解除される。従って、各ダイヤルリング３のみを回転させることができる。
【００２６】
図７（ｃ）は、各ダイヤルリング３を回転させて、所望のダイヤル数字の組合せを設定した状態を示す図である。
【００２７】
図７（ｄ）は、鉤５（図４参照）が閉錠に回動された状態を示す図である。鉤５が閉錠位置に回動されたときには、カム６と押動レバー７の前記のような作用によって、支持軸１が押動されると共に、各ドラム２が各ダイヤルリング３に係合し、ダイヤルリング３と共にドラム２を回転させて、各ダイヤルリング３のダイヤル数字の組合せを解錠できない状態に変えておく。
【００２８】
また、図１０および図１１に示すように、自由設定ダイヤル錠と固定ダイヤル錠との切換機構は、コイルスプリング１ｃと、カム６と、押動レバー７とを有するものである。コイルスプリング１ｃは、支持軸１と箱体１０との間に介在され、支持軸１が箱体１０に対し他方（図において左方向）に移動する方向に付勢力を付与する。カム６は、ノブ４および鉤５と連動して回動し、第１のカム部６ａが形成されている。押動レバー７は、箱体１０に対し回動可能に支持され、第１のカム部６ａに当接押動される一端部７ａと、支持軸１を当接押動する他端部７ｂと、後述する連結レバー１１に係合する連結部７ｄとが形成されている。
【００２９】
さらに、詳細に説明すると、図１０は自由設定ダイヤル錠に切換えた状態を示すものであり、押動レバー７の連結部７ｄに、連結レバー１１の一端部の連結孔１１ａ（図４参照）が連結され、連結レバー１１の他端部の嵌合凹部１１ｂに、固定ダイヤル錠と自由設定ダイヤル錠との切換部材９の偏心部９ａが嵌合されて構成されている。そして、切換部材９を自由設定ダイヤル錠側に回動すると、その偏心部９ａで連結レバー１１の他端部の嵌合凹部１１ｂが押動されなくなり、押動レバー７の他端部７ｂで支持軸１の一端部１ａの外端１ｈを押動し続けなくなる。従って、ノブ４によって鉤５は解錠側に回動したときには、押動レバー７の他端部７ｂで支持軸１の一端部１ａの外端１ｈを押動せず、各ドラム２が各ダイヤルリング３との嵌合から離れて、各ダイヤルリング３を独立して回転させることができる（図１０（ｂ）参照）自由設定ダイヤル錠となる。
【００３０】
なお、図１１は固定ダイヤル錠に切換えた状態を示すものであり、切換部材９を、箱体１０の外から固定ダイヤル錠側に回動させると、その偏心部９ａで連結レバー１１の他端部の嵌合凹部１１ｂを押し、連結レバー１１を介して押動レバー７の他端部７ｂで支持軸１の一端部１ａの外端１ｈを押動し続け、各ドラム２を各ダイヤルリング３に係合し続けて、常にダイヤルリング３とドラム２とが一体に回転する固定ダイヤル錠となるように構成されている。
【００３１】
また、切換部材９に、これを固定ダイヤル錠側、または自由設定ダイヤル錠側に切換回動させたときに、その回動位置を保持するように、切換部材９と一体に回動する突起９ｂが形成され、この突起９ｂが箱体１０の底面に穿設した孔１０ａまたは孔１０ｂ（図１３および図１４参照）に嵌合するようになっている。また、切換部材９を箱体１０の外から硬貨等を用いて回動することができるように、箱体１０から露出させた切換部材９の端に溝９ｃが形成されている（図１５（ｃ）参照）。
【００３２】
また、図８および図９に示すように、施錠機構は、ダイヤル数字の組合せの記憶用の凹部２ａ（図５参照）と、カム６と、フォーク状レバー８と、シーソーレバー１４とを備えて構成されている。凹部２ａは、各ドラム２の外周の一部に形成されたダイヤル数字の組合せの記憶用の部位である。カム６は、ノブ４および鉤５と連動して回動し、第２のカム部６ｂおよび係合部６ｃが形成されている。フォーク状レバー８は、箱体１０に対し回動可能に支持されており、記憶用の凹部２ａに出没するフォーク先端８ａと、係合部６ｃに当接する反対側端８ｃとが形成されている。シーソーレバー１４は、箱体１０に対し回動可能に支持されており、第２のカム部６ｂに当接押動される一端部１４ａと、フォーク状レバー８を付勢的に押動する他端部１４ｂとが形成された弾性材料よりなる。
【００３３】
図８および図９は施錠機構を解錠状態から閉錠状態にする説明図である。図８（ａ），（ａ′）および図９（ａ）は、鉤５が開いた状態を示す。この状態においては、カム６の第１のカム部６ａが押動レバー７を押動せず、この押動レバー７が支持軸１を押動せず、支持軸１がコイルスプリング１ｃによって図において左方に押動され、全てのドラム２の外周の記憶用の凹部２ａが一列に揃った状態で、ドラム２の外周の一部の平坦部２ｄが各回転止板柱１５の上端１５ａに当接して回転が止められている（図６参照）。図８（ｂ），（ｂ′）および図９（ｂ）は、鉤５が閉錠方向に回動する途中の状態を示す。この状態においてはカム６を実線矢印で示す時計回り方向に回動して、第１のカム部６ａが押動レバー７を押動し、この押動レバー７が支持軸１およびドラム２を右方へ押動し、各ドラム２を各ダイヤルリング３に係合させる。また、カム６の回動により、第２のカム部６ｂが、弾性材料よりなるシーソーレバー１４の一端部１４ａを押動し、このシーソーレバー１４の他端部１４ｂがフォーク状レバー８を押動し、そのフォーク先端８ａが各ドラム２の記憶用の凹部２ａに嵌合する。図８（ｃ），（ｃ′）および図９（ｃ）は、鉤５が閉錠方向に回動し終わった状態を示す。この状態においては、カム６の第１のカム部６ａが押動レバー７を押動し、この押動レバー７が支持軸１およびドラム２を右方へ押動し続け、フォーク状レバー８は、カム６の第２のカム部６ｂの押動から解放され、スプリング８ｄで図において反時計回り方向に回動され、各フォーク先端８ａが各ドラム２の外周の記憶用の凹部２ａから離れている。従って、この鉤５を閉めた状態において、各ダイヤルリング３と共に各ドラム２を任意に回転させて、各ダイヤルリング３のダイヤル数字の組合せを解錠できない状態に変えておく。
【００３４】
なお、鉤５が閉まった状態から、鉤５を開ける場合には、前述したように、各ダイヤルリング３のダイヤル数字の組合せを解錠できる状態に合わせ、各ドラム２の外周の記憶用の凹部２ａを、図７、図８（ｃ），（ｃ′）および図９（ｃ）に示すように一列に揃えた状態で、鉤５と共にカム６を点線矢印（図８（ｃ）参照）で示す反時計回り方向に回動させると、カム６の第２のカム部６ｂが弾性材料よりなるシーソーレバー１４を介してフォーク状レバー８を押動し、その各フォーク先端８ａを各ドラム２の外周の記憶用の凹部２ａに嵌合させて（図８（ｂ′）および図９（ｂ）参照）、フォーク状レバー８を時計回り方向に回動させ、フォーク状レバー８の回動支持部８ｂから反対側端８ｃが、カム６の係合部６ｃとの係合から外れて、カム６と共に鉤５が解錠方向に回動可能となる。
【００３５】
また、鉤５が閉まった状態から、鉤５を開ける場合に、各ダイヤルリング３のダイヤル数字の組合せが解錠できるように揃っていないときには、各ドラム２の記憶用の凹部２ａが一列に揃っておらず、従って、カム６の第２のカム部６ｂが弾性材料よりなるシーソーレバー１４を介してフォーク状レバー８を押動しても、その各フォーク先端８ａが各ドラム２の外周の記憶用の凹部２ａに没入できないので、フォーク状レバー８が回動できなく、その反対側端８ｃがカム６の係合部６ｃに係合して、カム６と連動する鉤５を解錠方向に回動させることができない（図８（ｃ），（ｃ′）参照）。
【００３６】
また、図１２および図１３に示すように、ダイヤル数字の組合せの検索機構は、ダイヤル数字の組合せの検索用の凹部２ｂ（図６も参照）と、検索カム１２と、フォーク状検索レバー１３とを備えて構成されている。ダイヤル数字の組合せの検索用の凹部２ｂは、ドラム２のダイヤルリング３から露出した小径部２2 の外周の一部に形成されている。検索カム１２は、挿入されたキーと連動して回動する。検索カム１２には、検索カム部１２ｂが形成されている。フォーク状検索レバー１３は、箱体１０に対し回動可能に支持されている。フォーク状検索レバー１３は、ドラム２に形成された検索用の凹部２ｂに付勢力によって没入する複数の先端１３ｂと、検索カム部１２ｂに当接押動される後端部１３ａとが形成された弾性材料よりなる。フォーク状検索レバー１３は、各ドラム２を回転させ複数の先端１３ｂが前記複数の検索用の凹部２ｂに嵌合してドラム２の外周の一部に形成された各記憶用の凹部２ａを一列に揃えるためのものである。
【００３７】
さらに、このダイヤル数字の組合せの検索機構を図１２および図１３を参照して詳細に説明する。図１２は検索機構の一部を示す正面図、図１３は検索機構の作動説明図である。解錠できる各ダイヤルリング３のダイヤル数字の組合せを検索する際には、箱体１０の外からキーをキー孔１２ａに挿入して、図１３（ａ）の状態から検索カム１２を図１３（ｂ）の状態に回動すると、弾性材料よりなるフォーク状検索レバー１３の後端部１３ａが、検索カム１２の検索カム部１２ｂで押動されて、各ドラム２の小径部２2 に弾性材料よりなるフォーク状検索レバー１３の各先端１３ｂを押接する。そして、各ダイヤルリング３と共に各ドラム２を回転させたときに、フォーク状検索レバー１３の各先端１３ｂが、各ドラム２の小径部２2 の外周に形成した各検索用の凹部２ｂに嵌合して、各ドラム２の回転が止まる。全部のドラム２の回転が止まるように全部のダイヤルリング３を回転させたときに、全部のドラム２の大径部２1 の外周の一部に形成した記憶用の凹部２ａが一列に揃って解錠できるように回転した後で止まる。そのときのダイヤル式錠の箱体１０の窓（開口５１）から見える各ダイヤルリング３の外周のダイヤル数字の組合せを見ることによって、解錠できるように設定したダイヤル数字の組合せを検索することができる。
【００３８】
なお、図１２および図１３に示すように、例えば基端部１７ａが箱体１０の底部のボス（円い突起）１０ｃに固定されたスプリング１７の先端部１７ｂによって、弾性材料よりなるフォーク状検索レバー１３の後端部１３ａを押しており、フォーク状検索レバー１３を図において時計回り方向に回動付勢している。また、図４に示すように、ダイヤルリング３が不用意に回転しないように、各ダイヤルリング３の外周に所定の押圧力で各先端部１８ａが当接するダイヤル感触バネ１８が設けられている。また、図１４および図１５に示すように、このダイヤル式錠を取付けた扉を閉めたときに、閉められた開口の内壁に設けた凹部（図示しない）に嵌合する嵌合ローラー１９が箱体１０の側面に設けられている。また、図１４はこの考案に係るダイヤル式錠の箱体１０の蓋を外した状態の正面図であり、図１５（ａ）はこの考案に係るダイヤル式錠の正面図で、図１５（ｂ）は同左側面図で、図１５（ｃ）は同背面図である。
【００３９】
図１５（ａ）に示すように、箱体１０は、箱本体部材５０ａと蓋部材５０ｂとを備えている。蓋部材５０ｂには、ダイヤルリング３の一部を箱体１０の表面部から露出させるための窓となる開口５１が形成されている。開口５１は、ダイヤルリング３ごとにそれぞれ形成されている。開口５１の内周面（開口縁部）は、ダイヤルリング３と干渉しないように、外部に露出されるダイヤルリング３の側面（軸方向端面）および外周面（箱体１０から出没する位置での外周面）との間に僅かな隙間をあけるように構成されている。つまり、開口５１は、ダイヤルリング３の露出部分より一回り大きい長方形状を呈している。
【００４０】
図５に示すように、ダイヤルリング３の軸方向の両側面には、環状の凹溝５２が形成されている。凹溝５２は、ダイヤルリング３の側面のうち、ドラム２が挿入される内側収容部よりも外周側で、箱体１０内に収容される部分に形成されている。凹溝５２は、ダイヤルリング３の両側面に形成されている。凹溝５２は、ダイヤルリング３の軸方向に深さを有して形成されている。なお、凹溝５２はダイヤルリング３の側面に形成されているが、図４への図示は省略している。
【００４１】
以上のような構成のダイヤル式錠において、本実施形態では、ダイヤルリング３の周囲にカバー部材５５を設けたことを特徴とする。図３に示すように、カバー部材５５は、箱体１０の表面部（蓋部材５０ｂ）の内側に設けられ、開口５１の内周面（開口縁部）とダイヤルリング３の側面との隙間を内側に投影した部分を覆う部材である。
【００４２】
以下にカバー部材５５の構成を詳細に説明する。カバー部材５５は弾性材料にて形成されている。カバー部材５５は、図１および図２に示すように、略矩形の板状に形成されており、ダイヤルリング３の挿通用開口５６が形成されている。挿通用開口５６は、略長方形状を呈しており、ダイヤルリング３の個数と同様に４箇所が、間隔を隔てて互いに平行に形成されている。挿通用開口５６の側部（ダイヤルリング３の軸方向に隣接する部分）が、前記隙間を投影した部分を覆う遮蔽板部５７を構成する。遮蔽板部５７の中間部分は、ダイヤルリング３の凹溝５２に沿って円弧状に湾曲しており、円弧部５８が形成されている。円弧部５８以外の部分は、平らになっている。
【００４３】
円弧部５８の幅方向両側の端縁部５９（遮蔽板部５７の端縁部）は、挿通用開口５６に向かって延出しており、ダイヤルリング３間に配置されたときに、ダイヤルリング３の凹溝５２内に入り込む（図３参照）。また、このとき円弧部５８は、ドラム２の外周面を非接触で覆うように配置される（図３参照）。これによって、開口５１の内周面とダイヤルリング３の側面との隙間から見える内部の部材は、カバー部材５５のみとなり、ドラム２などの他の部材がカバー部材５５によって遮蔽されていることとなる。挿通用開口５６に向かって延出した端縁部５９は、ダイヤルリング３の外周面側に立ち上がって形成され、立上り部を構成している。この立上り部は、表面が傾斜しており、凹溝５２の深さ方向奥側（端縁部５９の先端側）に向かうに連れて立上り高さが高くなる（外周面側に近づく）ように構成されている。円弧部５８の立上り部（端縁部５９）の基端部には、溝６０が形成されている。溝６０は、断面Ｕ字状に形成されており、立上り部で堰き止められた埃や水分などの異物を溜めて他の部分に落下するのを防止することができる。
【００４４】
複数の遮蔽板部５７のうち隣り合うダイヤルリング３，３の間に位置する遮蔽板部５７には、スリット６２が形成されている。スリット６２は、前記の隙間を内側に投影した部分の間に形成されている。このスリット６２は、カバー部材５５を装着する作業を容易に行う為に形成されており、遮蔽板部５７を幅方向両側から押圧することで、スリット６２が縮んで、遮蔽板部５７の幅を小さくすることができる。
【００４５】
カバー部材５５の外周部には、矩形形状の突出部６３が形成されている。この突出部６３は、箱体１０の箱本体部材５０ａと蓋部材５０ｂとで挟み込まれてカバー部材５５の位置固定を行うための部位である。なお、箱本体部材５０ａと蓋部材５０ｂで挟み込まれる位置は、突出部６３に限定されるものではなく、他の位置に突出部を設けてもよいし、突出しない部分を挟み込むようにすれば突出部を設けなくてもよい。
【００４６】
以上のような構成のダイヤル式錠によれば、ダイヤルリング３の側面と箱体１０の開口５１の内周面との隙間から埃や水などの異物が浸入したとしても、カバー部材５５によって遮蔽されるので、異物が内部の支持軸１付近に浸入し難くなる。これによって、支持軸１の回転が阻害されることなく、操作性の悪化を防止することができる。
【００４７】
また、本実施形態では、遮蔽板部５７の端縁部５９に立上り部が形成されているので、立上り部によって異物を堰き止められる。したがって、異物が、ダイヤルリング３の凹溝５２の底部側に入り込みにくくなるので、より一層、支持軸１付近に浸入し難くなる。立上り部で堰き止められた異物は、表面の傾斜に沿って溝６０に溜められるので、ドラム２や支持軸１側に浸入し難い。
【００４８】
さらに、カバー部材５５は、弾性部材にて構成されており、遮蔽板部５７の一部にスリット６２が形成されているので、スリット６２を狭くするように遮蔽板部５７を押し縮めることでその幅を小さくできる。これによって、遮蔽板部５７の幅は、隣り合うダイヤルリング３，３間の幅より大きくても、遮蔽板部５７を装着する際にダイヤルリング３，３間に容易に挿入することができる。そして装着後は、遮蔽板部５７は弾性的に元の形状に戻るので、端縁部５９がダイヤルリング３の凹溝５２に入り込む。
【００４９】
その他、本実施形態のダイヤル式錠では、支持軸１に回転自在かつ摺動不可能に各ドラム２を支持し、支持軸１と共にドラム２を一方に移動させると係合し、他方に移動させると係合が外れ回転自在となるように、外周にダイヤル数字を記載した各ダイヤルリング３が各ドラム２の外周に嵌合されているので、支持軸１と共にドラム２を一方に移動させてダイヤルリング３と係合させると、ダイヤルリング３と共にドラム２を回転させて、各ドラム２の回転位置を容易に、解錠できる状態に揃えることができる。また、支持軸１と共にドラム２を他方に移動させてダイヤルリング３との係合を外すと、各ドラム２とは独立にダイヤルリング３を回転させて、解錠できるダイヤル数字の組合せを容易に変更することができる。
【００５０】
また、切換部材９を固定ダイヤル錠側に切換えると、支持軸１と共にドラム２を一方に移動させ続け、ドラム２をダイヤルリング３と係合し続けて固定ダイヤル錠として使用することができる。また、切換部材９を自由設定ダイヤル錠側に切換えると、解錠できるダイヤル数字の組合せを変更するときには、支持軸１と共にドラム２が他方に移動して、各ドラム２が各ダイヤルリング３との係合から外れ、各ダイヤルリング３を各ドラム２と独立に回転させて、解錠できるダイヤル数字の組合せを容易に自由に変更設定することができる。
【００５１】
また、各ダイヤルリング３のダイヤル数字を予め設定した解錠できる組合せに合わせると、ドラム２の外周の一部に形成した記憶用の凹部２ａを、軸に沿う方向に一列に揃えることができ、この状態において、ノブ４を回して鉤５を解錠方向に回動させると、この回動と連動するカム６の第２のカム部６ｂにフォーク状レバー８が押動され、その各フォーク先端８ａを記憶用の凹部２ａに没入させて、フォーク状レバー８の反対側端を、カムの係合部との係合から外し、鉤５を解錠方向に回動させることができる。
【００５２】
さらに、箱体１０の外からキーをキー孔１２ａに挿入して、検索カム１２を回動すると、弾性材料よりなるフォーク状検索レバー１３が、検索カム１２の検索カム部１２ｂで押動されて、フォーク状検索レバー８の各先端を各ドラム２の小径部２２に押接し、各ダイヤルリング３と共に各ドラム２を回転させたときに、フォーク状検索レバー８の各先端が、各ドラム２の小径部２２の外周に形成した各検索用の凹部２ｂに嵌合して、各ドラム２の回転が止まり、全部のドラム２の回転が止まったときに、ダイヤル式錠の箱体１０の窓（開口５１）から見える各ダイヤルリング３のダイヤル数字の組合せを見ることによって、解錠できるように設定したダイヤル数字の組合せを容易に検索することができる。
【００５３】
以上、本考案を実施するための形態について説明したが、本考案は前記実施形態に限定されず、本考案の趣旨を逸脱しない範囲で適宜設計変更が可能である。例えば、本実施形態では、ダイヤル数字の組合せが自由に設定されて記憶される自由設定ダイヤル状態と、ダイヤル数字の組合せが固定されて記憶されている固定ダイヤル状態とを、切換操作によって使い分けできるダイヤル式錠にカバー部材５５を設けた場合を例に挙げて説明したが、このようなダイヤル式錠に限定する趣旨ではない。ダイヤルリングが箱体から露出しているダイヤル式錠であれば、たとえば、ダイヤル数字の組合せが自由に設定されて記憶される自由設定式のみのダイヤル式錠にも本考案を適用できるし、ダイヤル数字の組合せが固定されて記憶されている固定式のダイヤル式錠にも本考案を適用できる。
【符号の説明】
【００５４】
３      ダイヤルリング
１０    箱体
５１    開口
５５    カバー部材
５２    凹溝
５５    カバー部材
５７    遮蔽板部
５９    端縁部
６２    スリット
【図１】
0003165641.tif 000003
【図２】
0003165641.tif 000004
【図３】
0003165641.tif 000005
【図４】
0003165641.tif 000006
【図５】
0003165641.tif 000007
【図６】
0003165641.tif 000008
【図７】
0003165641.tif 000009
【図８】
0003165641.tif 000010
【図９】
0003165641.tif 000011
【図１０】
0003165641.tif 000012
【図１１】
0003165641.tif 000013
【図１２】
0003165641.tif 000014
【図１３】
0003165641.tif 000015
【図１４】
0003165641.tif 000016
【図１５】
0003165641.tif 000017